(57)【特許請求の範囲】
【請求項１】
溶接前に、被溶接物に溶接用マスキングテープを貼り、前記被溶接物に溶接幅、溶接始点、溶接経路、溶接端点と溶接方向を表示することが出来、前記溶接用マスキングテープは、耐熱機能と光反射機能を有し、溶接者が、溶接面を装着し、溶接が始まると、前記溶接面を通して、反射する前記溶接用マスキングテープを確認しながら溶接し、前記溶接幅よりハミ出した溶接ビードは、前記溶接用マスキングテープ上に残り、溶接完了後、前記溶接幅よりハミ出した溶接ビードは、前記溶接用マスキングテープを剥がす時に、前記溶接用マスキングテープに付いて剥がされる事を特徴とする
溶接の仕上がりを良くする為の溶接用マスキングテープ  
【発明の詳細な説明】
【技術分野】
【０００１】
溶接技術の習得には、非常な時間と労力を伴います。何故、溶接は、こんなに難しいのでしょう？
【背景技術】
【０００２】
溶接の種類は、多々有りますが、一般的には、アーク溶接のことを通常、溶接といいます。
【０００３】
アーク溶接にも数種類有りますが、被覆アーク溶接、MAG溶接やTIG溶接が一般的です。
【０００４】
溶接は、電流を放電することで熱を発生させ、金属を溶かして溶融池をつくります。連続して溶融池を形成して、溶接を進行していきます。溶融池は、この時5,000度〜6,000度位迄上がります。アーク溶接が難しい一番の理由は、この高温の中で作業する事です。
【０００５】
アークは溶接中に、一般に強い紫外線や熱線を含む激しい光線を発しています。これらの紫外線や熱線から体を守るために、防護服を着たり、溶接面を被ったりします。溶接面は、通常の遮光レンズがついたタイプと自動遮光式のタイプの2種類有ります。自動遮光式のタイプは、通常は、普通に見えるレンズで、溶接が始まり、強烈な光線がではじめると目を守るために遮光レンズになり、紫外線と熱線から顔の皮膚と目を守ります。遮光ガラスの遮光度が弱いと、紫外線と熱線が侵入してきて、目を痛めます。遮光ガラスの遮光度が強いと、溶接箇所が全く見えず、溶接箇所が確認できず、溶接が出来ません。
【０００６】
溶接が始まると放電により光線が出て、遮光レンズを通して溶接箇所が見え始めます。この時、目に強すぎず、心地よい感じぐらいになる様に遮光レンズの遮度を調整します。
【０００７】
特開2011-177769号は、TIG溶接方法が述べられています。
【先行技術文献】
【特許文献】
【０００８】
【特許文献１】特開2011-177769号
【発明の概要】
【発明が解決しようとする課題】
【０００９】
溶接によって出来た溶接跡を溶接ビードといいます。現在、溶接ビードで観察すると、溶接不良として指摘されるのは、溶接幅の不揃い、平行度、垂直度の不完全さや溶け込み不良などです。
【００１０】
塗装をする時にマスキングテープを貼り、塗装幅を表示します。塗装が完了して、マスキングテープを剥がします。塗装のハミ出し分は、マスキングテープにひっついて取れてしまい、マスキングテープで表示した塗装幅を持った、綺麗な塗装跡が現れます。コーキングでもマスキングテープを貼り、コーキング後に剥がすと余分なコーキングは、マスキングテープが持っていき、綺麗なコーキング跡が現れます。溶接でも、溶接前に溶接用マスキングテープを貼り、溶接後に溶接用マスキングテープを剥がすと、余分なハミ出しビードは、溶接用マスキングテープが、持って行き、綺麗なビードが現れる方法を確立する事が一つ目の課題です。    
【００１１】
溶接開始前は、溶接面をかぶり遮光ガラスを通し、目の前真っ暗闇です。溶接開始すると、放電が、始まり、放電光で、遮光ガラスを通して、溶接状態が目に、入ってきます。しかし、現在の溶接現場では、この時、溶接幅、溶接始点、溶接経路、溶接端点と溶接方向が、完全には、見えて来ません。
溶接をする時に真っ暗闇の遮光レンズを通して溶接幅、溶接始点、溶接経路、溶接端点と溶接方向が、完全に見えて来て、目標を見ながら溶接ができるようにする方法を確立する事が二つ目の課題です。
【課題を解決するための手段】
【００１２】
溶接前に、被溶接物に溶接用マスキングテープを貼り、前記被溶接物に溶接幅、溶接始点、溶接経路、溶接端点と溶接方向を表示することが出来る事を特徴とします。
【００１３】
前記溶接用マスキングテープは、耐熱機能と蓄光機能、若しくは光反射機能等を有し、溶接者が、溶接面を装着し、溶接が始まると、前記溶接面を通して、発光する前記溶接用マスキングテープを確認しながら溶接し、前記溶接幅よりハミ出した溶接ビードは、前記溶接用マスキングテープ上に残る
事を特徴とします。
【００１４】
溶接完了後、前記溶接幅よりハミ出した溶接ビードは、前記溶接用マスキングテープを剥がす時に、前記溶接用マスキングテープに付いて剥がされる
事を特徴とします。
【発明の効果】
【００１５】
現在の溶接は、溶接幅やビード形状は、溶接作業者の固有の技術で決まってきます。今後は、溶接前に被溶接物に溶接用マスキングテープを貼り、溶接幅や溶接箇所を明確にします。溶接中に溶接幅からハミ出した溶接ビードは、溶接用マスキングテープの上に乗ります。溶接作業が、終わり、溶接用マスキングテープを剥がすとハミ出した溶接ビードは、溶接用マスキングテープに付いてはがされ、綺麗な溶接ビード跡が現れます。溶接用マスキングテープを貼る事で、溶接作業が特殊作業でなくなり、ある程度練習すれば、ほぼ均一な溶接加工が出来る様になり、溶接加工不良品が減少いたします。
【図面の簡単な説明】
【００１６】
【図１】様々な溶接ビード跡イメージ図
【図２】溶接用マスキングテープイメージ図
【図３】溶接用マスキングテープと溶接ビード跡イメージ図
【符号の説明】
【００１７】
１            被溶接物      
２            真っ直ぐな溶接ビード跡
３            溶接ビード  右曲がり
４            溶接ビード  左曲がり
５            溶接ビード  ビード幅不揃い
６            溶接用マスキングテープ
７            溶接用マスキングテープ接着シート部
８            溶接用マスキングテープ断熱シート部
９            溶接用マスキングテープ発光部
１０          溶接ビード  始まり
１１          溶接ビード  完了
１２          溶接ビード  完了  溶接用マスキングテープを剥がす前
１３          剥がした溶接用マスキングテープ（ハミ出したビード跡がついている）
１４          溶接用マスキングテープを剥がした後の綺麗な溶接ビード跡
【発明を実施するための形態】
【００１８】
以下、本発明の実施の形態を図に基づいて説明する。
図１は、真っ直ぐな溶接ビード２、溶接ビード右曲がり３、溶接ビード左曲がり４と溶接ビード幅不揃い５が図に示されています。真っ直ぐな溶接ビード２は、商品として販売できますが、溶接ビード右曲がり３、溶接ビード左曲がり４と溶接ビード幅不揃い５は、販売できませんので不良品として処理されます。
真っ直ぐな溶接ビード跡２を溶接跡で出そうとすると、相当の熟練が必要と成ります。
【００１９】
図２は、溶接前に、被溶接物１に溶接用マスキングテープ６を貼り、被溶接物１に溶接幅、溶接始点、溶接経路、溶接端点と溶接方向を表示することが出来ます。溶接用マスキングテープ６は、保護テープ接着シート部７、断熱シート部８と光反射部９で構成されます。溶接前に、被溶接物１に溶接用マスキングテープ６を貼り、被溶接物１に溶接幅、溶接始点、溶接経路、溶接端点と溶接方向を表示することが出来ます。
【００２０】
溶接用マスキングテープ６は、耐熱機能と蓄光機能、若しくは光反射機能等を有し、溶接者が、溶接面を装着し、溶接が始まると、前記溶接面を通して、発光する前記溶接用マスキングテープ６を確認しながら溶接し、前記溶接幅よりハミ出した溶接ビードは、前記溶接用マスキングテープ６上に残ります。    
【００２１】
図３は、溶接工程を表します。溶接ビードの始まり１０、溶接ビード  完了１１、溶接ビード完了（溶接用マスキングテープを剥がす前）１２です。          この段階では、ハミ出したビードが溶接用マスキングテープの上にのっています。この段階で、剥がした溶接用マスキングテープ（ハミ出したビード跡がついている）１３が、別に表示されています。溶接用マスキングテープを剥がした後の綺麗な溶接ビード跡１４が、最終の溶接商品です。
溶接完了後、前記溶接幅よりハミ出した溶接ビードは、前記溶接用マスキングテープ６を剥がす時に、前記溶接用マスキングテープ６に付いて剥がされて、後に綺麗な溶接ビード跡が現れています。
【要約】 
【課題】
溶接前に溶接用マスキングテープを貼り、溶接後に溶接用マスキングテープを剥がすと、余分なハミ出しビードは、溶接用マスキングテープが、持って行き、綺麗なビードが現れる方法を確立する事が課題です。    
【解決手段】  
溶接前に被溶接物に溶接用マスキングテープを貼り、溶接幅や溶接箇所を明確にします。溶接中に溶接幅からハミ出した溶接ビードは、溶接用マスキングテープの上に乗ります。溶接作業が、終わり、溶接用マスキングテープを剥がすとハミ出した溶接ビードは、溶接用マスキングテープに付いてはがされ、綺麗な溶接ビード跡が現れます。溶接用マスキングテープを貼る事で、溶接作業が特殊作業でなくなり、ある程度練習すれば、ほぼ均一な溶接加工が出来る様になり、溶接加工不良品が減少いたします。
【選択図】  図３【図１】
0005668955.tif 000002
【図２】
0005668955.tif 000003
【図３】
0005668955.tif 000004